(57)【特許請求の範囲】
【請求項１】
ＲＦＩＤ通信用アンテナとＲＦＩＤ読取・無線通信装置本体とを備え、腕に取り付けるベルトと、
配送対象物品に貼付され、配送依頼登録番号、受取人の住所氏名の情報が登録されたＲＦＩＤラベルと、
前記配送対象物品を区分別に収納して搬送する区分別用搬送パレットと、
前記区分別用搬送パレットに装着され、誘導ランプとを備え、前記搬送パレットに収納すべき荷物であるとの無線受信情報により前記誘導ランプを点灯する無線受信情報表示装置とを備え、
前記ベルトが、前記配送対象物品に添付された前記ＲＦＩＤラベルに登録されている情報を読み取り、該当する前記搬送パレットに収納すべき荷物であるとの無線受信情報を前記無線受信情報表示装置に送信する配送物品取扱システム。
【請求項２】
ＲＦＩＤ通信用アンテナとＲＦＩＤ読取・無線通信装置本体とを腕に取り付けるベルトを設け、前記ベルトを作業者が腕に装着し、前記ベルトが配送対象物品に貼付されているＲＦＩＤラベルに登録されている配送依頼登録番号、受取人の住所氏名等の情報を読み取る段階と、
この情報を用いて、前記無線通信装置本体がどの区分別用搬送パレットに収納すべき荷物が判別する段階と、
この判別結果により前記ベルトが無線通信手段により該当する前記搬送パレットに装着した無線受信情報表示装置に送信する段階と、
前記情報が該当する前記搬送パレットに収納すべき荷物であるとの無線受信情報により前記無線情報表示装置が表示を点灯する段階と
よりなる配送物品取扱方法。
【請求項３】
配送対象物品に貼付され、配送依頼登録番号、受取人の住所氏名の情報が登録されたＲＦＩＤラベルから前記情報をベルトが読み取り、前記ベルトが前記情報からどの区分別用搬送パレットに収納するかを音声により指示する段階を備えた請求項２に記載の配送物品取扱方法。
【発明の詳細な説明】
【０００１】
【発明の属する技術分野】
本発明は小包郵便物、宅配貨物等の配送取扱物品の配送区分等に於いて用いられる配送物品取扱システム及び配送物品取扱方法に関する。
【０００２】
【従来の技術】
従来、小包郵便物、宅配貨物等の配送取扱物品の配送区分等に於いては、作業者が小包郵便物、宅配貨物等の配送取扱対象物品に貼付、付与されたバーコード付きの伝票、またはラベルのバーコードを読み取らせて宛先、宛先コード等を読みながら行き先別の搬送用搬送パレットに収納作業を行ない、バーコードの読取は、専ら取扱処理の証拠、追跡調査用データとしての情報取得の為を主目的として行なっており、配送区分等の作業には利用されることはなかった。
【０００３】
【発明が解決しようとする課題】
このように小包郵便物、宅配貨物等の配送取扱物品の配送区分等における従来の方法・技術では、バーコードの読取は、取扱処理の証拠、追跡調査用データとしての情報取得を主目的として行なっているだけで、行き先区分作業の誤りを防止する手段として確実なものがなかった。
【０００４】
そこで本発明は、コードの読取によって、従来の配送区分処理の証拠収集、追跡調査データの収集の他に区分作業の誘導や確認等にも使用できるようにして、迅速・的確で且つ不慣れな人でも容易に区分作業に従事することができる配送物品取扱システム及び配送物品取扱方法を提供することを目的とするものである。
【０００５】
【課題を解決するための手段】
本発明の請求項１記載の発明は、ＲＦＩＤ通信用アンテナとＲＦＩＤ読取・無線通信装置本体とを備え、腕に取り付けるベルトと、
配送対象物品に貼付され、配送依頼登録番号、受取人の住所氏名の情報が登録されたＲＦＩＤラベルと、
前記配送対象物品を区分別に収納して搬送する区分別用搬送パレットと、
前記区分別用搬送パレットに装着され、誘導ランプとを備え、前記搬送パレットに収納すべき荷物であるとの無線受信情報により前記誘導ランプを点灯する無線受信情報表示装置とを備え、
前記ベルトが、前記配送対象物品に添付された前記ＲＦＩＤラベルに登録されている情報を読み取り、該当する前記搬送パレットに収納すべき荷物であるとの無線受信情報を前記無線受信情報表示装置に送信する配送物品取扱システムとしたものであり、ＲＦＩＤ通信用アンテナとＲＦＩＤ読取・無線通信装置本体とを備えたベルトを作業者の腕に装着するだけで配送対象物品を未熟練作業者でも誤りなく区分作業が行なえるようになるという優れた効果がある。
【０００８】
また請求項２記載の発明は、ＲＦＩＤ通信用アンテナとＲＦＩＤ読取・無線通信装置本体とを腕に取り付けるベルトを設け、前記ベルトを作業者が腕に装着し、前記ベルトが配送対象物品に貼付されているＲＦＩＤラベルに登録されている配送依頼登録番号、受取人の住所氏名等の情報を読み取る段階と、
この情報を用いて、前記無線通信装置本体がどの区分別用搬送パレットに収納すべき荷物が判別する段階と、
この判別結果により前記ベルトが無線通信手段により該当する前記搬送パレットに装着した無線受信情報表示装置に送信する段階と、
前記情報が該当する前記搬送パレットに収納すべき荷物であるとの無線受信情報により前記無線情報表示装置が表示を点灯する段階と
よりなる配送物品取扱方法
としたものであり、ＲＦＩＤ通信用アンテナとＲＦＩＤ読取・無線通信装置本体とを備えたベルトを作業者の腕に装着するだけで未熟練作業者でも誤りなく区分作業が行なえるようになるという優れた効果がある。
【００１１】
また請求項３記載の発明は、配送対象物品に貼付され、配送依頼登録番号、受取人の住所氏名の情報が登録されたＲＦＩＤラベルから前記情報をベルトが読み取り、前記ベルトが前記情報からどの区分別用搬送パレットに収納するかを音声により指示する段階を備えた請求項２に記載の配送物品取扱方法としたものであり、配送物品取扱区分別作業者の腕に取り付けられたベルトがＲＦＩＤラベルの情報を読み取り、前記ベルトが前記情報からどの区分別搬送パレットに収納するかを音声により指示できるので未熟練作業者でも迅速な区分作業が行なえるようになるという優れた効果が有る。
【００１５】
【発明の実施の形態】
以下、本発明の実施の形態について、図面を用いて説明する。
【００１６】
（第１の実施の形態）
図１は、本発明の第１の実施の形態に係るＲＦＩＤ読取・無線通信装置の構成を示す概略図である。図１においてＲＦＩＤ読取・無線通信装置は、作業者の腕に取り付け可能なように腕ベルト１上に設置されている。そして腕ベルト１の内側には布製のファスナー２が設けられており、また表側にはＲＦＩＤ読取・無線通信装置を構成する、フレキシブルアンテナ３と、液晶などの表示器４と、ＣＰＵなどで構成される制御回路部５と、操作ボタン６と、電源部７とが設けられている。なお、ＲＦＩＤ読取・無線通信装置を構成する、フレキシブルアンテナ３、液晶などの表示器４、ＣＰＵなどで構成される制御回路部５、操作ボタン６、電源部７の各機能ブロック間は図示していないが内部で電気的に接続されており、またフレキシブルアンテナ３はフレキシブル基板８上に設置されるようになっており、また電源部７は電源コネクタ９まで電源供給ケーブルが配設されており、さらに電源コネクタ９から電源供給ケーブル10にて腰ベルト11に装着された電源供給手段12と接続されるようになっている。
【００１７】
図２は、図１に示したフレキシブルアンテナ３の構造を説明するための断面拡大図であり、図２においてフレキシブルアンテナ３は、布、人工皮革、樹脂シート等の可撓性素材で構成された腕ベルト１に可撓性接着剤層21を経て金属層27を接着・積層させ、さらにアンテナ回路パターン23が印刷されたポリアミド等の基板素材からなるフレキシブル基板22を接着・積層させ、さらにその上面にコーティングカバー24を施すようにしている。金属層27はアンテナ回路パターン23から発射する電波・磁界を反射、増幅する効果を有する。
【００１８】
なお、アンテナ回路パターン23は接続ケーブル26に接続された接続コネクタ25に接続され、一方、接続ケーブル26はＣＰＵなどで構成される制御回路部５に接続されている。アンテナ回路パターン23が施されたフレキシブルアンテナ３がこのような構造であるために、郵便小包など配送取扱対象物を取り扱う区分別作業者の腕に取り付けて使用しても腕の動きに対しても柔軟に対応可能である。
【００１９】
図３は、図１に示した第１の実施形態に係るＲＦＩＤ読取・無線通信装置を区分別作業者に装着して郵便小包などの取扱物品の区分作業を実施する様子を示した図である。図３において腕ベルト１に搭載されたＲＦＩＤ読取・無線通信装置は、区分別作業者31の腕に装着されており、腰ベルトに装着された電源供給手段12から電力が供給されるようになっている。
【００２０】
区分別作業者31は郵便小包などの取扱対象物品32を腕で持ち上げるとともに郵便小包などの取扱対象物品32に貼付されているRFIDラベル33にＲＦＩＤ読取・無線通信装置を接近させるようにして、RFIDラベル33に登録されている区分別作業情報を読取るとともに無線通信装置によって図示していない無線受信情報表示装置に送信し、無線受信情報表示装置の誘導ランプの点滅等に従い区分別作業者31が区分別搬送パレットに郵便小包などの取扱対象物品を収納する。
【００２１】
図４は、第１の実施形態に係るＲＦＩＤ読取・無線通信装置のブロックダイヤグラムと無線受信情報端末装置のブロックダイヤグラムを示すものであり、図４においてＲＦＩＤ読取・無線通信装置400は、図１に示されるＲＦＩＤ読取・無線通信装置を回路的に実現するためのブロック図である。但し、図１の電源関係については図示していない。
【００２２】
そして図４のＲＦＩＤ読取・無線通信装置400は、ＣＰＵ401にそれぞれバス接続される、ＲＦＩＤ通信用アンテナ（フレキシブルアンテナ）３を制御するＲＦコントローラ402、ＬＣＤ（液晶表示器）４を制御するＬＣＤ（液晶表示器）コントローラ403、キーボタン６を制御するキーコントローラ404、メモリ405、無線受信表示装置500との無線データの送受信を行なう無線通信ＭＯＤＥＭ406を備えている。
【００２３】
また無線受信情報表示装置500は、ＣＰＵ501にそれぞれバス接続される、メモリ502、ＲＦＩＤ読取・無線通信装置400との無線データの送受信を行なう無線通信ＭＯＤＥＭ503、パイロット（誘導）ランプ600を制御するランプコントローラ504、ＬＣＤ（液晶表示器）506を制御するＬＣＤ（液晶表示器）コントローラ505を備えている。
【００２４】
図５は、図１乃至図３に示した第１の実施形態に係るＲＦＩＤ読取・無線通信装置を用いた配送物品取扱システムを説明するための概略図である。図５において区分別作業者が図２に示したように可撓性ベルト１内にフレキシブルアンテナ３を内蔵したＲＦＩＤ読取・無線通信装置400を使用してRFIDラベル33の情報を読取る。配送対象物品に貼付されたRFIDラベル33には、配送物品取扱に係る登録番号、受取人の住所氏名等の情報が入力されている。
【００２５】
必要に応じて無線受信情報表示装置500内に設けられたＬＣＤ（液晶表示器）506に行先表示をさせることにより、区分別作業者を区分別搬送パレット700に誘導し、区分別作業者は区分別用搬送パレット700に配送取扱対象物を収納する。
【００２６】
このように第１の実施形態のＲＦＩＤ読取・無線通信装置は、区分別作業者が配送取扱対象物を持ちげるだけで作業者の腕に取り付けられているＲＦＩＤ読取・無線通信装置によって配送取扱対象物に付いている配送取扱対象物用ＲＦＩＤラベルの情報を読み取り、読取られた情報中の行き先情報が送信され、該情報によって該当する無線受信情報表示装置の誘導用ランプが点滅等を行なうことによって収納すべき区分別搬送パレットを明示し、それに従って区分別作業を行なうようにすれば未熟練作業者でも誤りなく区分作業が行なえるようになるという優れた効果がある。
【００２７】
図６は、本発明の第１の実施の形態に係る無線受信情報表示装置を区分別搬送パレットに取り付ける際の取付構造例を示す図である。図６に示されるように無線受信情報表示装置500には誘導ランプ600が筐体外部に突出するように設けられ、さらに支柱601が延設されており、この支柱601が区分別搬送パレット700の背面に設けられた無線受信情報表示装置用ホルダー602に嵌合するようになっている。なお、区分別搬送パレット700の背面に設けられた無線受信情報表示装置用ホルダー602は、配送取扱対象物の量や区分別作業者の作業のやり易さ等に応じてその取付け位置を変更可能なように複数備えるようにしている。
【００２８】
図７は、本発明の第１の実施の形態に係るＲＦＩＤ読取・通信装置を用いた配送物品取扱システムの動作を説明するためのフローチャートである。図７のステップ71において先ずＲＦＩＤ読取・無線通信装置に区分別搬送パレット番号とそれに対応する無線受信情報表示装置番号と配送区分先郵便番号等を登録する。次にステップ72において配送区分する小包郵便物等を両手に持つ。ステップ73においてＲＦＩＤ読取・無線通信装置から発射する電波・磁界により小包郵便物等に貼りつけられているRFIDラベルに登録されている諸情報、例えば配送物品取扱に係る登録番号、受取人の住所氏名等の情報を自動的に読み取る。
【００２９】
ステップ74において読み取った諸情報の中から配送区分先郵便番号等を識別し、その番号に対応する無線受信情報表示装置へ信号を送信する。ステップ75において無線受信情報表示装置は信号を受信後、パイロット（誘導）ランプを点滅させる。ステップ76において区分別作業者は無線受信情報表示装置のパイロットランプの点滅を目視確認し、それに対応する区分別搬送パレットへ小包郵便物等を収納する。ステップ77においては配送区分作業が終了したか否かが判定され、配送区分作業が未終了であればステップ72に戻り、ステップ72以降ステップ76までを繰り返すと共に、配送区分作業が終了であればフローを終了させる。
【００３０】
（第２の実施の形態）
図８は、本発明の第２の実施の形態に係るＲＦＩＤ読取・無線通信装置の構成を示す概略図である。図８においてＲＦＩＤ読取・無線通信装置は、作業者の腕に取り付け可能なように時計型腕ベルト82に設置された時計型本体筐体81と、腕ベルト１上に設置されたフレキシブルアンテナ３と、その間を電気的に接続する接続ケーブル83とに分離して構成されている。フレキシブルアンテナ３が搭載される腕ベルト１の内側には布製のファスナー２が設けられており、また腕ベルト１の表側には腕ベルト１の上にアンテナ回路パターンが印刷されたフレキシブル基板８が腕ベルト１に金属箔を積層した形で接着されてフレキシブルアンテナ３が構成されている。
【００３１】
時計型腕ベルト82に設置された時計型本体筐体81には、ＲＦＩＤ読取・無線通信装置の構成要素である、液晶などの表示器４と、ＣＰＵなどで構成される制御回路部５と、操作ボタン６と、電源部７とが設けられている。なお、電源部７は電源供給ケーブル10にて腰ベルト11に装着された電源供給手段12と接続されるようになっている。
【００３２】
図９は、図８に示した第２の実施形態に係るＲＦＩＤ読取・無線通信装置を区分別作業者に装着して郵便小包などの取扱対象物品の区分作業を実施する様子を示した図である。図９においてＲＦＩＤ読取・無線通信装置は、図８に示したように、時計型腕ベルト82に設置された時計型本体筐体81と、腕ベルト１上に設置されたフレキシブルアンテナ３と、その間を電気的に接続する接続ケーブル83とに分離して構成されており、これらを区分別作業者31の腕に装着するようにされており、腰ベルトに装着された電源供給手段12から電力が時計型本体筐体81の電源部７に供給されるようになっている。
【００３３】
区分別作業者31は郵便小包などの取扱対象物品32を腕で持ち上げるとともに郵便小包などの取扱対象物品32に貼付されているRFIDラベル33にＲＦＩＤ読取・無線通信装置を接近させるようにして、RFIDラベル33に登録されている区分別作業情報を読取る。
【００３４】
図１０は本発明の第２の実施の形態に係るＲＦＩＤ読取・無線通信装置のブロックダイヤグラムと無線受信情報端末装置のブロックダイヤグラムを示すものであり、ＲＦＩＤ通信用アンテナ（フレキシブルアンテナ）３を制御するＲＦコントローラ402が接続ケーブル83で接続されるように接続コネクタ９を備えている点およびＲＦＩＤ通信用アンテナ（フレキシブルアンテナ）３と接続ケーブル83を除き時計型本体筐体408に収納している点を除いて基本的には図４に示したものと同じであるので、その説明を省く。
【００３５】
このように第２の実施形態のＲＦＩＤ読取・無線通信装置は、作業者の腕に取り付け可能なように時計型腕ベルト82に設置された時計型本体筐体81と、腕ベルト１上に設置されたフレキシブルアンテナ３と、その間を電気的に接続する接続ケーブル83とに分離して構成されるようにしたため、区分別作業者の腕に対する装着上の自由度、装置作成上の自由度を増すことができるという優れた効果が有る。
【００３６】
（第３の実施の形態）
図１１は、本発明の第３の実施の形態に係るＲＦＩＤ読取・音声通信装置のブロックダイヤグラムを示すものであり、本発明の第１の実施の形態に係るＲＦＩＤ読取・無線通信装置400の構成の中の無線通信ＭＯＤＥＭ406に代えて、音声コントローラ1101と、これに接続されるスピーカ1102又はイヤホーン1103を備えて成るものである。そしてこれらの構成要素はイヤホーン1103を備えて成る場合を除きＲＦＩＤ読取・音声通信装置1100として一体的な機能ブロックを構成するものである。
【００３７】
図１２は、図１１に示した第３の実施形態に係るＲＦＩＤ読取・音声通信装置を区分別作業者に装着して郵便小包などの取扱対象物品の区分作業を実施する様子を示した図である。図１２において腕ベルト１に搭載されたＲＦＩＤ読取・音声通信装置1100は、区分別作業者31の腕に装着されており、図示されていない腰ベルトに装着された電源供給手段から電力が供給されるようになっている。
【００３８】
区分別作業者31は郵便小包などの取扱対象物品32を腕で持ち上げるとともに郵便小包などの取扱対象物品32に貼付されているRFIDラベル33にＲＦＩＤ読取・音声通信装置1100を接近させるようにして、RFIDラベル33に登録されている区分別作業情報を読取るとともに音声通信装置によってイヤーホンケーブル1104を経由してイヤーホン1103に音声にて誘導指示を送り、この誘導指示に従い区分別作業者31が区分別搬送パレット700に郵便小包などの取扱対象物品を収納する。
【００３９】
なお、図１２においては、イヤーホン1103に音声による誘導指示を直接与えるようにした例について示したが、図１１に示したようにスピーカ1102から音声を出させるようにして、これを区分別作業者31が耳で直接聞いて区分別搬送パレット700に郵便小包などの取扱対象物品を収納するようにしても良いことは言うまでもない。
【００４０】
このように第３の実施形態のＲＦＩＤ読取・音声通信装置は、区分別作業者が配送取扱対象物を持ち上げると区分別作業者の腕に取り付けられているＲＦＩＤ読取・音声通信装置によって配送取扱対象物に付いているＲＦＩＤラベルの情報が読み取られ、読み取った情報中の行き先情報によって収納すべき区分別搬送パレットを判定し音声で誘導できるので未熟練作業者でも迅速な区分作業が行なえるようになるという優れた効果が有る。
【００４１】
（第４の実施の形態）
図１３は、本発明の第４の実施の形態に係るＲＦＩＤ読取・通信装置のブロックダイヤグラムと無線受信情報端末装置のブロックダイヤグラムを示すものであり、第３の実施の形態に係るＲＦＩＤ読取・音声通信装置1100の構成と異なる点は、音声コントローラ1101と、これに接続されるスピーカ1102又はイヤホーン1103を音声アナウンス部1310として別体の機能ブロックとして備え、更に図１０に示した第２の実施形態のＲＦＩＤ読取・無線通信装置のブロックダイヤグラムと同様に時計型本体筐体1308を備えるようにしたものであり、音声アナウンス部1310の音声コントローラ1101と時計型本体筐体1308内のＣＰＵ401とはケーブルにて電気的に接続されるようにしている。
【００４２】
このように第４の実施形態のＲＦＩＤ読取・通信装置は、ＲＦＩＤ読取・音声通信装置の機能と、ＲＦＩＤ読取・無線通信装置の機能とを併せ持つようにしたものであり、両者の利点を併せ持つより優れたＲＦＩＤ読取・通信装置となり、正確且つ迅速な区分作業が可能となるという優れた効果が有る。
【００４３】
【発明の効果】
以上の説明から明らかなように本発明の請求項１記載の発明は、ＲＦＩＤ通信用アンテナとＲＦＩＤ読取・無線通信装置本体とを備え、腕に取り付けるベルトと、
配送対象物品に貼付され、配送依頼登録番号、受取人の住所氏名の情報が登録されたＲＦＩＤラベルと、
前記配送対象物品を区分別に収納して搬送する区分別用搬送パレットと、
前記区分別用搬送パレットに装着され、誘導ランプとを備え、前記搬送パレットに収納すべき荷物であるとの無線受信情報により前記誘導ランプを点灯する無線受信情報表示装置とを備え、
前記ベルトが、前記配送対象物品に添付された前記ＲＦＩＤラベルに登録されている情報を読み取り、該当する前記搬送パレットに収納すべき荷物であるとの無線受信情報を前記無線受信情報表示装置に送信する配送物品取扱システムとしたものであり、ＲＦＩＤ通信用アンテナとＲＦＩＤ読取・無線通信装置本体とを備えたベルトを作業者の腕に装着するだけで配送対象物品を未熟練作業者でも誤りなく区分作業が行なえるようになるという優れた効果がある。
【００４６】
また請求項２記載の発明は、ＲＦＩＤ通信用アンテナとＲＦＩＤ読取・無線通信装置本体とを腕に取り付けるベルトを設け、前記ベルトを作業者が腕に装着し、前記ベルトが配送対象物品に貼付されているＲＦＩＤラベルに登録されている配送依頼登録番号、受取人の住所氏名等の情報を読み取る段階と、
この情報を用いて、前記無線通信装置本体がどの区分別用搬送パレットに収納すべき荷物が判別する段階と、
この判別結果により前記ベルトが無線通信手段により該当する前記搬送パレットに装着した無線受信情報表示装置に送信する段階と、
前記情報が該当する前記搬送パレットに収納すべき荷物であるとの無線受信情報により前記無線情報表示装置が表示を点灯する段階と
よりなる配送物品取扱方法
としたものであり、ＲＦＩＤ通信用アンテナとＲＦＩＤ読取・無線通信装置本体とを備えたベルトを作業者の腕に装着するだけで未熟練作業者でも誤りなく区分作業が行なえるようになるという優れた効果がある。
【００４９】
また請求項３記載の発明は、配送対象物品に貼付され、配送依頼登録番号、受取人の住所氏名の情報が登録されたＲＦＩＤラベルから前記情報をベルトが読み取り、前記ベルトが前記情報からどの区分別用搬送パレットに収納するかを音声により指示する段階を備えた請求項２に記載の配送物品取扱方法としたものであり、配送物品取扱区分別作業者の腕に取り付けられたベルトがＲＦＩＤラベルの情報を読み取り、前記ベルトが前記情報からどの区分別搬送パレットに収納するかを音声により指示できるので未熟練作業者でも迅速な区分作業が行なえるようになるという優れた効果が有る。
【図面の簡単な説明】
【図１】本発明の第１の実施の形態に係るＲＦＩＤ読取・無線通信装置の構成を示す概略図、
【図２】図１に示したフレキシブルアンテナの構造を説明するための断面拡大図、
【図３】第１の実施形態に係るＲＦＩＤ読取・無線通信装置を区分別作業者に装着して郵便小包などの取扱対象物品の区分作業を実施する様子を示した図、
【図４】第１の実施形態に係るＲＦＩＤ読取・無線通信装置のブロックダイヤグラムと無線受信情報端末装置のブロックダイヤグラムを示す図、
【図５】第１の実施形態に係るＲＦＩＤ読取・無線通信装置を用いた配送物品取扱システムを説明するための概略図、
【図６】本発明の第１の実施の形態に係る無線受信情報表示装置を区分別搬送パレットに取り付ける際の取付構造例を示す図、
【図７】第１の実施の形態に係るＲＦＩＤ読取・通信装置を用いた配送物品取扱システムの動作を説明するためのフローチャート、
【図８】本発明の第２の実施の形態に係るＲＦＩＤ読取・無線通信装置の構成を示す概略図、
【図９】第２の実施形態に係るＲＦＩＤ読取・無線通信装置を区分別作業者に装着して郵便小包などの取扱対象物品の区分作業を実施する様子を示した図、
【図１０】第２の実施の形態に係るＲＦＩＤ読取・無線通信装置のブロックダイヤグラムと無線受信情報端末装置のブロックダイヤグラムを示す図、
【図１１】第３の実施の形態に係るＲＦＩＤ読取・音声通信装置のブロックダイヤグラムを示す図、
【図１２】第３の実施形態に係るＲＦＩＤ読取・音声通信装置を区分別作業者に装着して郵便小包などの取扱対象物品の区分作業を実施する様子を示した図、
【図１３】第４の実施の形態に係るＲＦＩＤ読取・通信装置のブロックダイヤグラムと無線受信情報端末装置のブロックダイヤグラムを示す図である。
【符号の説明】
１  腕ベルト
２  布製ファスナー
３  フレキシブルアンテナ
４  表示器（液晶その他）
５  制御回路部
６  操作ボタン
７  電源部
８  フレキシブル基板
９  電源コネクタ
10  電源供給ケーブル
11  腰ベルト
12  電源供給手段
21  可撓性接着剤層
22  ポリアミド等のフレキシブル基板
23  アンテナ回路パターン
24  コーティングカバー
25  接続コネクタ
26  接続ケーブル
27  金属箔
31  区分別作業者
32  取扱対象物品
33  ＲＦＩＤラベル
81  時計型本体筐体
82  時計型腕ベルト
83  接続ケーブル
400  RFID読取・無線通信装置
401  ＣＰＵ
402  ＲＦコントローラ
403  ＬＣＤコントローラ
404  キーコントローラ
405  メモリ
406  無線通信ＭＯＤＥＭ
408  時計型本体筐体
500  無線受信情報表示装置
501  ＣＰＵ
502  メモリ
503  無線通信ＭＯＤＥＭ
504  ランプコントローラ
505  ＬＣＤコントローラ
506  ＬＣＤ
600  パイロット(誘導)ランプ
601  支柱
602  ホルダー
700  搬送パレット
1100  RFID読取・音声通信装置
1101  音声コントローラ
1102  スピーカ
1103  イヤーホン
1104  イヤーホンケーブル
1300  RFID読取・通信装置
1308  時計型本体筐体
1310  音声アナウンス部
【図１】
0003690953.tif 000002
【図２】
0003690953.tif 000003
【図３】
0003690953.tif 000004
【図４】
0003690953.tif 000005
【図５】
0003690953.tif 000006
【図６】
0003690953.tif 000007
【図７】
0003690953.tif 000008
【図８】
0003690953.tif 000009
【図９】
0003690953.tif 000010
【図１０】
0003690953.tif 000011
【図１１】
0003690953.tif 000012
【図１２】
0003690953.tif 000013
【図１３】
0003690953.tif 000014